(57)【要約】      （修正有）【課題】導電性の材料で構成された反負荷側ブラケットを、露出されたステータの一部を圧入により接続することで、安価な構成により確実に接続され同一の効果を得る。【解決手段】ベアリングを介して回転自由に保持されたロータ５と、前記ベアリングを保持する負荷側及び反負荷側ブラケット９と、一部を露出しモールド樹脂により成形されたステータ１を有し、前記ステータの露出部に導電性の材料で構成されたブラケットを圧入により接続する。【選択図】図１
2009261145.tif 000002
【特許請求の範囲】
【請求項１】
ベアリングを介して回転自由に保持されたロータと、前記ベアリングを保持する負荷側及び反負荷側ブラケットと、ステータの一部を露出しモールド樹脂により成形されたステータを有するモータであって、前記ステータの露出部に導電性の材料で構成されたブラケットを圧入により接続したことを特徴とするＤＣブラシレスモータ。
【請求項２】
ブラケットが鋼板で構成されたことを特徴とする請求項１記載のＤＣブラシレスモータ。
【請求項３】
前記モータが高圧ＰＷＭ方式のＤＣブラシレスモータであることを特徴とする請求項１、２記載のＤＣブラシレスモータ。
【請求項４】
請求項１〜３のいずれか１項に記載のＤＣブラシレスモータを用いた空気調和機。
【発明の詳細な説明】
【技術分野】
【０００１】
本発明は、ＤＣブラシレスモ−タの構造に関するものである。
【背景技術】
【０００２】
従来のこの種のモールドモ−タは、図２に示すように、ステ−タ１０１を一体モ−ルド成形されたステ−タ完成体に、磁石１０２、シャフト１０３、ベアリングＡ１０４、ベアリングＢ１０５からなるロ−タ完成体を有する。負荷側のベアリングＡ１０４は、負荷側ブラケット１０６に支持されステ−タ完成体に固定されている。反負荷側のベアリングＢ１０５は、ステータ完成体に一体成型されたベアリングハウジングに支持されている。ステータ１０１と負荷側ブラケット１０６は導通ピン１０７により接続されている（例えば、特許文献１参照）。
【特許文献１】特開２００７−１５９３０２号公報
【発明の開示】
【発明が解決しようとする課題】
【０００３】
しかしながら上記のような構成では、ステータ１０１と負荷側ブラケット１０６を導通ピン１０７にて接続しているため構成部品が増える。また接続状態が不安定となり全数確認が必要となり工数が掛かる。
【０００４】
本発明は、前記従来の課題を解決するもので、導電性の材料で構成された反負荷側ブラケットを露出されたステータの一部を圧入により接続することで、安価な構成により確実に接続され同一の効果を得ることを目的とする。
【課題を解決するための手段】
【０００５】
前記従来の課題を解決するために、本発明のＤＣブラシレスモ−タは、ベアリングを介して回転自由に保持されたロータと、前記ベアリングを保持する負荷側及び反負荷側ブラケットと、ステータの一部を露出しモールド樹脂により成形されたステータを有するモータであって、前記ステータの露出部に導電性の材料で構成されたブラケットを圧入により接続することで、安価な構成のモールドモータを提供することが出来る。
【発明の効果】
【０００６】
本発明のＤＣブラシレスモータは、ステータと導電性の材料で構成された負荷側ブラケットによりステータ部を圧入により接続することで、安価な構成により同一の効果が得られる。反負荷側のブラケットとステータを接続することにより軸電圧（反負荷側ブラケットと軸受けの電位）下がり循環電流が流れにくくなり電食が発生しにくくなる。
【発明を実施するための最良の形態】
【０００７】
第１の発明は、ベアリングを介して回転自由に保持されたロータと、前記ベアリングを保持する負荷側及び反負荷側ブラケットと、ステータの一部を露出しモールド樹脂により成形されたステータを有するモータであって、前記ステータの露出部に導電性の材料で構成されたブラケットを圧入により接続したことで、安価なモールドモータを提供することが出来る。
【０００８】
第２の発明は、負荷側ブラケットと反負荷側ブラケットの材料を鋼板で構成することにより安価な構成で接続することが出来る。
【０００９】
第３の発明は、前記モールドモータが高圧ＰＷＭ方式のＤＣブラシレスモータであれば
より効果を発揮することが出来る。
【００１０】
第４の発明は、上記１〜４の発明のモールドモータを空気調和機に使用されるのが好ましい。近年、空気調和機のモータは高効率化により高圧ＰＷＭ方式が主流であり、上記１〜３の発明のモールドモータを採用することにより、より効果が発揮できる。
【００１１】
以下、本発明の実施の形態について、図面を参照しながら説明する。なお、この実施の形態によって本発明が限定されるものではない。
【００１２】
（実施の形態１）
図１に本実施の形態のモータの一部断面図を示す。
【００１３】
本実施の形態のモータは、鋼板を積層したステータ１に絶縁樹脂２を施すことにより絶縁層を形成し、この絶縁層にコイル３が巻回されている。前記ステータ完成体はモールド樹脂４により一体成型され、一部の側面は鋼板を積層したステータ１の鋼板が露出している。一体成型されたステータ完成体の内周側にはロータ５が収納されている。このロータ５には金属製回転軸６が貫通され、負荷側にはベアリングＡ７、反負荷側にはベアリングＢ８が取り付けられている。
【００１４】
樹脂により一体成型されたステータ完成体の内部にベアリングハウジングが成型され金属製回転軸６は負荷側のベアリングＡ７を介してベアリングハウジング内に回転自在に固定されている。ロータ５の反負荷側の金属製回転軸６は、反負荷側のベアリングＢ８を介して反負荷側金属製ブラケット９に取り付けられている。
上記負荷側金属製ブラケット９は上記ステータ完成体の側面の露出部に圧入により取り付けられている。このように、反負荷側金属製ブラケット９と鋼板を積層したステータ１を接続することにより鋼板を積層したステータ１と反負荷側のブラケット９は同電位となり軸電圧が下がり循環電流が流れなくなり電食が発生しにくくなる。
【００１５】
（実施の形態２）
上記実施の形態１のモータは、高圧ＰＷＭ方式のＤＣブラシレスモータであればより効果を発揮することが出来る。近年、高圧ＰＷＭ方式により高効率化を実現するために高周波で制御する場合は、ブラケットとシャフトに電位差が生じて循環電流が流れ、電食が発生する。
【００１６】
反負荷側のブラケットとステータを接続することにより安価な構成により軸電圧下がり循環電流が流れにくくなり電食が発生しにくくなる。
【００１７】
（実施の形態３）
上記実施の形態１のモータは、空気調和機用ファンモータとして使用されるのが好ましい。近年、空気調和機の高性能化が進みモ−タの高出力化が要求され高圧ＰＷＭ方式を用いる。従って、上記実施の形態１のモータを空気調和機用のファンモータとして使用すると本発明の効果がより顕著に発現する。
【産業上の利用可能性】
【００１８】
以上のように、本発明にかかるモータは、反負荷側のブラケットとステータを圧入により接続することにより同電位となり軸電圧が下がり、電食が発生しにくくなるので高効率を必要とする空気調和機のモ−タの用途に適する。
【図面の簡単な説明】
【００１９】
【図１】本発明の実施の形態１におけるＤＣブラシレスモ−タの部分断面図
【図２】従来のモールドモ−タの断面図
【符号の説明】
【００２０】
１  ステータ
２  絶縁樹脂
３  コイル
４  モールド樹脂
５  ロータ
６  金属製回転軸
７  ベアリングＡ
８  ベアリングＢ
９  反負荷側金属製ブラケット
【図１】
2009261145.tif 000003
【図２】
2009261145.tif 000004